(57)【要約】【課題】  加熱による被記録媒体の部位のバラツキを低減し記録品質を向上させることができる記録装置を提供すること。【解決手段】  記録装置（１）は、媒体送り手段（３２）と、記録ヘッド（４１）と、第１媒体支持部（３３）と、予備加熱手段３４と、第２媒体支持部（４３）と、記録時加熱手段４４と、を備え、前記記録ヘッド（４１）は、被記録媒体（Ｐ）における複数のエリア（Ｂ１〜Ｂ３）を、送り方向下流側から順に記録実行する構成であり、前記記録時加熱手段４４は、送り方向Ｙにおいて均一な温度で構成されており、前記予備加熱手段３４は、前記エリア（Ｂ１〜Ｂ３）に応じて送り方向Ｙに加熱する領域をエリア（Ａ１〜Ａ３）に分割し、送り方向下流側へ向かって段々と高い温度となるように加熱する構成であることを特徴とする。【選択図】図３
2010131891.tif 000002
【特許請求の範囲】
【請求項１】
被記録媒体を送り方向下流側へ間欠送りをする媒体送り手段と、
前記送り方向および被記録媒体の幅方向へ移動することができ、停止した被記録媒体における送り方向に複数に分割したエリア毎に幅方向へ移動しながらインクを吐出して記録を実行する記録ヘッドと、
該記録ヘッドより送り方向上流側に設けられ、被記録媒体が記録される前段階で被記録媒体を支持する第１媒体支持部と、
該第１媒体支持部に支持された被記録媒体を加熱する予備加熱手段と、
前記第１媒体支持部より送り方向下流側であって、前記記録ヘッドと対向する位置に設けられ、被記録媒体を支持する第２媒体支持部と、
該第２媒体支持部に支持された被記録媒体を加熱する記録時加熱手段と、を備え、
前記予備加熱手段および前記記録時加熱手段の少なくとも一方は、
前記第２媒体支持部上で停止した被記録媒体における一の前記エリアが前記予備加熱手段から受けた第１熱量と、被記録媒体が前記第２媒体支持部上に停止してから該一のエリアが記録されるまでに該一のエリアが前記記録時加熱手段から受ける第２熱量との和が、
前記第２媒体支持部上で停止した被記録媒体における前記一以外の他のエリアが前記予備加熱手段から受けた第３熱量と、被記録媒体が前記第２媒体支持部上に停止してから該他のエリアが記録されるまでに該他のエリアが前記記録時加熱手段から受ける第４熱量との和と等しくなるように、前記エリアに応じて送り方向に加熱する領域を分割し該分割した領域毎に異なる温度で加熱する構成である記録装置。
【請求項２】
請求項１に記載の記録装置において、
前記記録ヘッドは、被記録媒体における前記複数のエリアを、送り方向下流側から順に記録実行する構成であり、
前記記録時加熱手段は、送り方向において均一な温度で加熱する構成であり、
前記予備加熱手段は、前記エリアに応じて送り方向に加熱する領域を分割し、送り方向下流側へ向かって段々と高い温度となるように加熱する構成である記録装置。
【請求項３】
被記録媒体を送り方向下流側へ間欠送りをする媒体送り手段と、
前記送り方向および被記録媒体の幅方向へ移動することができ、停止した被記録媒体における送り方向に複数に分割したエリア毎に幅方向へ移動しながらインクを吐出して記録を実行する記録ヘッドと、
該記録ヘッドより送り方向上流側に設けられ、被記録媒体が記録される前段階で被記録媒体を支持する第１媒体支持部と、
該第１媒体支持部に支持された被記録媒体を加熱する予備加熱手段と、
前記第１媒体支持部より送り方向下流側であって、前記記録ヘッドと対向する位置に設けられ、被記録媒体を支持する第２媒体支持部と、
該第２媒体支持部に支持された被記録媒体を加熱する記録時加熱手段と、を備え、
前記記録ヘッドは、被記録媒体における前記複数のエリアを、送り方向下流側から順に記録実行する構成であり、
前記記録時加熱手段は、送り方向において均一な温度で加熱する構成であり、
前記予備加熱手段は、前記エリアに応じて送り方向に加熱する領域を分割し、送り方向下流側へ向かって段々と高い温度となるように加熱する構成である記録装置。
【請求項４】
請求項１乃至３のいずれか１項に記載の記録装置において、前記記録ヘッドは、幅方向の一方へ走査する際のみに記録を実行する構成であり、
前記予備加熱手段は、幅方向において、熱勾配を有しており、前記記録ヘッドが幅方向における記録を実行開始する側を、記録を終了する側より高い温度で加熱する構成である記録装置。
【請求項５】
記録する前段階において第１媒体支持部に支持された被記録媒体を予備加熱手段により加熱する予備加熱工程と、
前記第１媒体支持部に支持された被記録媒体を、前記第１媒体支持部より被送り媒体の送り方向下流側に設けられ被記録媒体を支持する第２媒体支持部上へ送る媒体送り工程と、
該第２媒体支持部と対向し被記録媒体の送り方向および幅方向へ移動するように設けられた記録ヘッドが、停止した被記録媒体における送り方向に複数に分割したエリアを送り方向下流側から順に幅方向へ移動しながらインクを吐出して記録を実行する記録実行工程と、
前記第２媒体支持部に支持された被記録媒体を記録時加熱手段により加熱する記録時加熱工程と、を具備し、
前記予備加熱工程は、前記エリアに応じて送り方向に加熱する領域を分割し、送り方向下流側へ向かって段々と高い温度となるように加熱する記録方法。
【発明の詳細な説明】
【技術分野】
【０００１】
本発明は、被記録媒体を送り方向下流側へ間欠送りをする媒体送り手段と、前記送り方向および被記録媒体の幅方向へ移動することができ、停止した被記録媒体における送り方向に複数に分割したエリア毎に幅方向へ移動しながらインクを吐出して記録を実行する記録ヘッドと、該記録ヘッドより送り方向上流側に設けられ、被記録媒体が記録される前段階で被記録媒体を支持する第１媒体支持部と、該第１媒体支持部に支持された被記録媒体を加熱する予備加熱手段と、前記第１媒体支持部より送り方向下流側であって、前記記録ヘッドと対向する位置に設けられ、被記録媒体を支持する第２媒体支持部と、該第２媒体支持部に支持された被記録媒体を加熱する記録時加熱手段と、を備えた記録装置に関する。  
本願において、記録装置には、インクジェットプリンタ、ワイヤドットプリンタ、レーザープリンタ、ラインプリンタ、複写機、ファクシミリ等の種類が含まれるものとする。
【背景技術】
【０００２】
従来では、特許文献１に示す如く、インクジェット記録装置は、記録ヘッドと、記録後加熱部としての第１発熱体と、記録時加熱部としての第２発熱体と、予備加熱部としての第３発熱体とを有していた。このうち、前記記録ヘッドは、用紙に対してインクを吐出することができるように設けられていた。また、前記第１発熱体は、前記記録ヘッドより送り方向下流側に配設され、用紙に着弾したインクを記録後において乾燥させることができるように構成されていた。
【０００３】
またさらに、前記第２発熱体は、前記記録ヘッドと対向し、用紙を支持すると共に用紙を加熱することができるように構成されていた。また、前記第３発熱体は、前記第２発熱体より送り方向上流側に配設され、用紙を支持すると共に用紙を加熱することができるように構成されていた。所謂、予備加熱である。そして、該予備加熱により、記録時における用紙に着弾したインクの乾燥を促進することができた。
【特許文献１】特開平３−２５１４７４号公報
【発明の開示】
【発明が解決しようとする課題】
【０００４】
しかしながら、用紙は加熱される加熱量に応じて収縮する性質を有する。具体的には、加熱により用紙中の水分が減少することによって収縮する。そして、停止した用紙に対して送り方向に分割されたエリア毎に記録ヘッドが幅方向に走査してインクを吐出する構成である場合、エリア毎に記録ヘッドにより記録が実行されるタイミングが異なる。
【０００５】
例えば、エリアが、上流側エリア、中間エリアおよび下流側エリアの３つに分割されていたとする。係る構成である場合、用紙の上流側エリア、中間エリア、および下流側のエリアでは、記録実行されるまでに受ける熱量がそれぞれ異なるため、収縮量が異なる。そのため、用紙の部位のバラツキが生じる。そして、記録品質を均一化することができない虞が生じる。例えば、幅方向におけるドット間隔が、上流側および下流側において異なる虞が生じる。
【０００６】
図５に示すのは、従来技術における予備加熱部および記録部における用紙が受ける熱量を示す図である。縦軸は用紙については用紙が受ける熱量を、発熱体については発熱体の温度を示す。一方、横軸は用紙の位置を示す。  
図５に示す如く、従来技術における予備加熱部としての前記第３発熱体では、用紙を均一に加熱するように構成されていた。そして、送られる用紙が前記第３発熱体上で一時停止すると、用紙の上流側エリア、中間エリア、および下流側エリアは均一に熱量Ｑ１を受ける。
【０００７】
その後、用紙は、記録部としての前記記録ヘッドと対向する前記第２発熱体上まで送られ一時停止する。前記第２発熱体は、前記第３発熱体と同様に用紙を均一に加熱するように構成されていた。そして、前記記録ヘッドは、先ず下流側エリア、次に中間エリア、最後に上流側エリアを幅方向へ走査しながらインクを吐出して記録を実行するように構成されていた。
【０００８】
ここで、用紙が前記第２発熱体上に停止してから下流側エリアが記録されるまでの間（ｔ１）、下流側エリアは前記第２発熱体からさらに加熱され熱量Ｑ２を受けるので、下流側エリアが受ける総熱量はＱ１＋Ｑ２となる。  
また、同様に、用紙が前記第２発熱体上に停止してから中間エリアが記録されるまでの間（ｔ２）、中間エリアは前記第２発熱体からさらに加熱され熱量Ｑ３を受けるので、中間エリアが受ける総熱量はＱ１＋Ｑ３となる。ここで、熱量Ｑ３はＱ２より大である。  
またさらに、同様に、用紙が前記第２発熱体上に停止してから上流側エリアが記録されるまでの間（ｔ３）、上流側エリアは前記第２発熱体からさらに加熱され熱量Ｑ４を受けるので、上流側エリアが受ける総熱量はＱ１＋Ｑ４となる。ここで、熱量Ｑ４はＱ３より大である。
【０００９】
以上より、記録時までに、上流側エリア、中間エリア、および下流側エリアが受ける総熱量がそれぞれ異なる。そのため、用紙における各エリアに位置する箇所の収縮量が異なる。  
その結果、前述したように、用紙の部位のバラツキが生じ、記録品質を均一化することができない虞が生じる。
【００１０】
本発明は、このような状況に鑑み成されたものであり、その課題は、加熱による被記録媒体の部位のバラツキを低減し記録品質を向上させることができる記録装置を提供することである。
【課題を解決するための手段】
【００１１】
上記課題を達成するため、本発明の第１の態様の記録装置は、被記録媒体を送り方向下流側へ間欠送りをする媒体送り手段と、前記送り方向および被記録媒体の幅方向へ移動することができ、停止した被記録媒体における送り方向に複数に分割したエリア毎に幅方向へ移動しながらインクを吐出して記録を実行する記録ヘッドと、該記録ヘッドより送り方向上流側に設けられ、被記録媒体が記録される前段階で被記録媒体を支持する第１媒体支持部と、該第１媒体支持部に支持された被記録媒体を加熱する予備加熱手段と、前記第１媒体支持部より送り方向下流側であって、前記記録ヘッドと対向する位置に設けられ、被記録媒体を支持する第２媒体支持部と、該第２媒体支持部に支持された被記録媒体を加熱する記録時加熱手段と、を備え、前記予備加熱手段および前記記録時加熱手段の少なくとも一方は、前記第２媒体支持部上で停止した被記録媒体における一の前記エリアが前記予備加熱手段から受けた第１熱量と、被記録媒体が前記第２媒体支持部上に停止してから該一のエリアが記録されるまでに該一のエリアが前記記録時加熱手段から受ける第２熱量との和が、前記第２媒体支持部上で停止した被記録媒体における前記一以外の他のエリアが前記予備加熱手段から受けた第３熱量と、被記録媒体が前記第２媒体支持部上に停止してから該他のエリアが記録されるまでに該他のエリアが前記記録時加熱手段から受ける第４熱量との和と等しくなるように、前記エリアに応じて送り方向に加熱する領域を分割し該分割した領域毎に異なる温度で加熱する構成であることを特徴とする。
【００１２】
本発明の第１の態様によれば、前記予備加熱手段および前記記録時加熱手段の少なくとも一方は、前記第２媒体支持部上で停止した被記録媒体における一の前記エリアが前記予備加熱手段から受けた第１熱量と、被記録媒体が前記第２媒体支持部上に停止してから該一のエリアが記録されるまでに該一のエリアが前記記録時加熱手段から受ける第２熱量との和が、前記第２媒体支持部上で停止した被記録媒体における前記一以外の他のエリアが前記予備加熱手段から受けた第３熱量と、被記録媒体が前記第２媒体支持部上に停止してから該他のエリアが記録されるまでに該他のエリアが前記記録時加熱手段から受ける第４熱量との和と等しくなるように、前記エリアに応じて送り方向に加熱する領域を分割し該分割した領域毎に異なる温度で加熱する構成である。即ち、加熱する領域を熱的に分割する構成である。
【００１３】
ここで、前記「等しくなる」とは、完全に一致することではなく、誤差の範囲を含めて略等しくなることをいう。一般に、物体が受ける熱量と物体の温度との間には比例関係がある。従って、「前記第１熱量と前記第２熱量との和が、前記第３熱量と前記第４熱量との和と等しくなる」は、一のエリアが記録されるときの該一のエリアの温度が、他のエリアが記録されるときの該他のエリアの温度と略等しくなることでもある。
【００１４】
また、前記「前記予備加熱手段および前記記録時加熱手段の少なくとも一方は」について、例えば、前記予備加熱手段が前記エリアに応じて送り方向に加熱する領域を分割し該分割した領域毎に異なる温度で加熱する構成である場合と、前記記録時加熱手段が前記エリアに応じて送り方向に加熱する領域を分割し該分割した領域毎に異なる温度で加熱する構成である場合と、前記予備加熱手段および前記記録時加熱手段の両方が加熱する領域をそれぞれ分割して領域毎に異なる温度で加熱する構成である場合とがある。
【００１５】
三者とも、加熱されてから記録されるまでの間において、被記録媒体の複数のエリアがそれぞれ受ける熱量の和を等しくすることができる。即ち、複数のエリアがそれぞれ受ける熱量を一定にすることができる。従って、記録されるまでの間に、加熱されて被記録媒体（例えば用紙）中の水分が減少することによる前記エリア毎の収縮量を一定にすることができる。そして、被記録媒体（例えば用紙）の部位のバラツキを低減することができる。即ち、記録時における各エリアの被記録媒体（例えば用紙）の状態を同一にすることができる。その結果、記録品質を均一化することができる。  
尚、被記録媒体の材質が材質中の水分量に関わらず、熱により伸縮する特性を有する場合も同様である。
【００１６】
上記内容を噛み砕いて説明すると以下のようになる。  
前記複数のエリアがそれぞれ受ける熱量の和を等しくすることにより、送り方向上流側のエリアが記録されるときの該上流側のエリアの収縮量を、送り方向下流側のエリアが記録されるときの該下流側のエリアの収縮量と同じにすることができる。従って、同じ条件で、上流側および下流側のエリアを記録することができる。このとき、幅方向におけるドット間隔を、上流側および下流側において同じにすることができる。
【００１７】
そして、記録後において、仮に被記録媒体（例えば用紙）が空気中の水分を自然に吸収して安定した収束状態となった場合、被記録媒体（例えば用紙）の送り方向上流側および下流側は、同じように伸びる。このとき、幅方向におけるドット間隔は同じように広がる。その結果、空気中の水分を吸収して安定収束状態になったとき、記録画像が歪んだ状態となる虞がない。
【００１８】
尚、被記録媒体の材質が材質中の水分量に関わらず、熱により伸縮する特性を有する場合は、加熱により収縮し、放熱により伸びて元の大きさに戻るので、用紙の場合と同様の作用効果を得ることができる。加熱により伸びて、放熱により収縮する場合も同様の作用効果を得ることができるのは言うまでのない。
【００１９】
本発明の第２の態様は、第１の態様において、前記記録ヘッドは、被記録媒体における前記複数のエリアを、送り方向下流側から順に記録実行する構成であり、前記記録時加熱手段は、送り方向において均一な温度で加熱する構成であり、前記予備加熱手段は、前記エリアに応じて送り方向に加熱する領域を分割し、送り方向下流側へ向かって段々と高い温度となるように加熱する構成であることを特徴とする。  
ここで、前記「均一な温度」とは、完全に均一ではなく、誤差の範囲を含む略均一な温度をいう。
【００２０】
本発明の第２の態様によれば、第１の態様と同様の作用効果に加え、前記記録ヘッドは、被記録媒体における前記複数のエリアを、送り方向下流側から順に記録実行する構成であり、前記記録時加熱手段は、送り方向において均一な温度で加熱する構成であり、前記予備加熱手段は、前記エリアに応じて送り方向に加熱する領域を分割し、送り方向下流側へ向かって段々と高い温度となるように加熱する構成である。従って、前記第２媒体支持部上において、インクに対して均一に熱を加えることができる。その結果、均一にインクを乾燥させることができる。即ち、温度が低いことによりインクの乾燥が不十分となる虞がない。
【００２１】
本発明の第３の態様の記録装置は、被記録媒体を送り方向下流側へ間欠送りをする媒体送り手段と、前記送り方向および被記録媒体の幅方向へ移動することができ、停止した被記録媒体における送り方向に複数に分割したエリア毎に幅方向へ移動しながらインクを吐出して記録を実行する記録ヘッドと、該記録ヘッドより送り方向上流側に設けられ、被記録媒体が記録される前段階で被記録媒体を支持する第１媒体支持部と、該第１媒体支持部に支持された被記録媒体を加熱する予備加熱手段と、前記第１媒体支持部より送り方向下流側であって、前記記録ヘッドと対向する位置に設けられ、被記録媒体を支持する第２媒体支持部と、該第２媒体支持部に支持された被記録媒体を加熱する記録時加熱手段と、を備え、前記記録ヘッドは、被記録媒体における前記複数のエリアを、送り方向下流側から順に記録実行する構成であり、前記記録時加熱手段は、送り方向において均一な温度で加熱する構成であり、前記予備加熱手段は、前記エリアに応じて送り方向に加熱する領域を分割し、送り方向下流側へ向かって段々と高い温度となるように加熱する構成であることを特徴とする。
【００２２】
本発明の第３の態様によれば、前記記録ヘッドは、被記録媒体における前記複数のエリアを、送り方向下流側から順に記録実行する構成であり、前記記録時加熱手段は、送り方向において均一な温度で加熱する構成であり、前記予備加熱手段は、前記エリアに応じて送り方向に加熱する領域を分割し、送り方向下流側へ向かって段々と高い温度となるように加熱する構成である。従って、加熱されてから記録されるまでの間において、被記録媒体の複数のエリアがそれぞれ受ける熱量のバラツキを低減することができる。その結果、記録されるまでの間に、加熱されて被記録媒体（例えば用紙）中の水分が減少することによる前記エリア毎の収縮量のバラツキを低減することができる。そして、記録品質を均一化することができる。
【００２３】
本発明の第４の態様は、第１から第３のいずれか一の態様において、前記記録ヘッドは、幅方向の一方へ走査する際のみに記録を実行する構成であり、前記予備加熱手段は、幅方向において、熱勾配を有しており、前記記録ヘッドが幅方向における記録を実行開始する側を、記録を終了する側より高い温度で加熱する構成であることを特徴とする。  
本発明の第４の態様によれば、第１から第３のいずれか一の態様と同様の作用効果に加え、前記記録ヘッドは、幅方向の一方へ走査する際のみに記録を実行する構成であり、前記予備加熱手段は、幅方向において、熱勾配を有しており、前記記録ヘッドが幅方向における記録を実行開始する側を、記録を終了する側より高い温度で加熱する構成である。従って、幅方向においても、記録が実行されるまでに受ける熱量の総和の差を低減することができる。その結果、幅方向における収縮量の差を低減することができる。そして、記録品質をより均一化することができる。特に幅方向に広い被記録媒体を記録する大型の記録装置において有効である。
【００２４】
本発明の第５の態様は、記録方法は、記録する前段階において第１媒体支持部に支持された被記録媒体を予備加熱手段により加熱する予備加熱工程と、前記第１媒体支持部に支持された被記録媒体を、前記第１媒体支持部より被送り媒体の送り方向下流側に設けられ被記録媒体を支持する第２媒体支持部上へ送る媒体送り工程と、該第２媒体支持部と対向し被記録媒体の送り方向および幅方向へ移動するように設けられた記録ヘッドが、停止した被記録媒体における送り方向に複数に分割したエリアを送り方向下流側から順に幅方向へ移動しながらインクを吐出して記録を実行する記録実行工程と、前記第２媒体支持部に支持された被記録媒体を記録時加熱手段により加熱する記録時加熱工程と、を具備し、前記予備加熱工程は、前記エリアに応じて送り方向に加熱する領域を分割し、送り方向下流側へ向かって段々と高い温度となるように加熱することを特徴とする。  
本発明の第５の態様によれば、前記記録方法は、前記予備加熱工程と、前記媒体送り工程と、前記記録実行工程と、前記記録時加熱工程と、を具備している。従って、上記第３の態様と同様の作用効果を得ることができる。
【発明を実施するための最良の形態】
【００２５】
以下、本発明の実施の形態を図面に基づいて説明する。  
図１に示すのは、本発明に係る「記録装置」或いは「液体噴射装置」の一例としてのインクジェットプリンタ（以下「プリンタ」と言う）１の全体の概略を示す側面図である。  
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【００２６】
またさらに、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００２７】
図１に示す如く、プリンタ１は、給送部１０と、紙揃え部２０と、プレヒート部３０と、記録部４０と、ポストヒート部５０と、排出部６０とを備えている。このうち、給送部１０は、ローラおよびベルトを備え、用紙Ｐを送り方向下流側（矢印Ｙの方向）へ給送することができるように構成されている。また、紙揃え部２０は、ローラと、ベルトと、用紙Ｐの側端と当接するガイド部（図示せず）とを備えている。そして、給送された用紙Ｐの姿勢を正しながら用紙Ｐを送り方向下流側へ送ることができるように構成されている。
【００２８】
また、プレヒート部３０は、紙揃え部２０から送られた用紙Ｐを、記録部４０へ送る前の段階において、予め熱を加えて温めてから送り方向下流側の記録部４０へ送ることができるように構成されている。予め熱を加えるのは、後に用紙Ｐに着弾するインクの乾燥を促進するためである。具体的には、プレヒート部３０は、記録部４０まで延設された第１サクションベルト機構３２と、予備加熱時用紙支持部３３と、後述する予備加熱手段３４（図２参照）とを有している。
【００２９】
このうち、第１サクションベルト機構３２は、三つのローラ３８、３８、３８ａと、該三つのローラ３８、３８、３８ａに巻回された複数の穴を有するベルト３９と、該複数の穴を介して空気を吸引する吸引手段（図示せず）とを有する。そして、送り方向下流側のローラ３８ａが駆動することにより、ベルト３９が駆動し用紙Ｐを送ることができるように構成されている。また、第１サクションベルト機構３２の上面側に形成される予備加熱時用紙支持部３３が、用紙Ｐを裏面から支持することができるように設けられている。また、予備加熱時用紙支持部３３には、熱伝導式の予備加熱手段３４が設けられている。
【００３０】
ここで、「熱伝導式」とは、物体の内部を通って高温部から低温部へ熱を伝える方式をいう。即ち、物体が用紙Ｐと接触することにより熱を伝導する方式である。  
例えば、予備加熱手段３４の一例としてニクロム線を用いる手段がある。該ニクロム線を通電させることにより、ニクロム線自体が発熱し、予備加熱時用紙支持部３３を介して用紙Ｐの裏面に熱を伝導することができる。また、前述した吸引手段は、ベルト３９の複数の穴を介して予備加熱時用紙支持部３３の上方の空気を下方へ吸引するように構成されている。
【００３１】
従って、吸引手段は、予備加熱時用紙支持部３３上の用紙Ｐを、予備加熱時用紙支持部３３にぴったりと吸着させることができる。その結果、用紙Ｐを加熱することができる。  
またさらに、記録部４０は、プレヒート部３０から送られた用紙Ｐの表面に対して、インクを吐出して記録を実行することができるように設けられている。具体的には、記録部４０は、プレヒート部３０から延設された第１サクションベルト機構３２と、記録時用紙支持部４３と、記録ヘッド４１とを有している。
【００３２】
また、記録時用紙支持部４３は、第１サクションベルト機構３２の上面側に形成され、用紙Ｐを裏面から支持することができるように設けられている。またさらに、記録ヘッド４１は、記録時用紙支持部４３の上方に、用紙Ｐの幅方向Ｘおよび送り方向Ｙへ移動可能に設けられている。詳しくは後述するように、幅方向Ｘに延設された一対の第１ガイド軸４５、４５、および送り方向Ｙに延設された一対の第２ガイド軸４７、４７に案内されながら、図示しないモータの動力によって移動するように構成されている。
【００３３】
そして、記録ヘッド４１が幅方向Ｘへ移動しながらインクを用紙Ｐの表面に対して吐出することにより、記録が実行されるように構成されている。  
尚、記録が実行されない所謂、待機状態では、記録ヘッド４１は、記録領域外の待機位置に位置する。  
ここで、「記録領域」とは、記録ヘッド４１が記録時用紙支持部４３と対向する領域であって、インクを吐出して記録を実行する領域をいう。  
記録が実行された後、用紙Ｐは、第１サクションベルト機構３２によって送り方向下流側のポストヒート部５０へ送られる。
【００３４】
また、ポストヒート部５０は、記録された用紙Ｐ上のインクを乾燥することができるように構成されている。具体的には、ポストヒート部５０は、第２サクションベルト機構５４と、乾燥時用紙支持部５５と、乾燥機構としての対流式の温風ヘッド５３とを有している。  
ここで、「対流式」とは、気体や液体などの流体によって熱を伝える方式をいう。
【００３５】
第２サクションベルト機構５４は、前述した第１サクションベルト機構３２の構成と同様である。その説明は省略する。  
また、乾燥時用紙支持部５５は、第２サクションベルト機構５４の上面側に形成され、用紙Ｐを裏面から支持することができるように設けられている。
【００３６】
またさらに、温風ヘッド５３は、温めた風を吹出すことができるように構成されている。そして、用紙Ｐの表面に対して温風を吹出すことによって、用紙Ｐの表面に着弾したインクを乾燥させることができる。
【００３７】
尚、温風ヘッド５３の内部構造は、ニクロム線等の熱発生手段と、ファン等の風力発生手段とから構成されているものとする。  
また、乾燥された用紙Ｐは、第２サクションベルト機構５４によって送り方向下流側の排出部６０へ送られる。  
排出部６０は、ローラおよびベルトを備え、用紙Ｐを送り方向下流側へ排出することができるように構成されている。
【００３８】
続いて、プレヒート部３０および記録部４０について詳しく説明する。  
図２に示すのは、本発明に係るプレヒート部および記録部の概略を示す側面図である。また、図３に示すのは、本発明に係るプレヒート部および記録部の概略を示す平面図である。  
図２および図３に示す如く、記録部４０において、記録ヘッド４１は、幅方向Ｘに延設された一対の第１ガイド軸４５、４５によって幅方向Ｘへ案内されながら、図示しないモータの動力によって移動することができるように設けられている。
【００３９】
また、一対の第１ガイド軸４５、４５の両側側端は、一対の軸ホルダ４６、４６によって保持されている。またさらに、一対の軸ホルダ４６、４６は、送り方向Ｙに延設された一対の第２ガイド軸４７、４７によって送り方向Ｙへ案内されながら、図示しないモータの動力によって移動することができるように設けられている。即ち、記録ヘッド４１は、幅方向Ｘおよび送り方向Ｙへ移動することができるように構成されている。
【００４０】
そして、用紙Ｐは、第１サクションベルト機構３２によって送られ記録時用紙支持部４３上で一時停止する。具体的には、第１サクションベルト機構３２のローラ３８ａの回動が停止することにより、ベルト３９が停止する。従って、用紙Ｐは停止する。そして、記録ヘッド４１が記録時用紙支持部４３の送り方向下流側と対向する位置に位置している状態で、記録ヘッド４１が幅方向Ｘへ移動し、インクが吐出され記録が実行される。次に、記録ヘッド４１が送り方向上流側へノズル列４２の長さ分移動する。そして、記録ヘッド４１が幅方向Ｘへ移動し、インクが吐出され記録が実行される。
【００４１】
さらに、記録ヘッド４１がさらに送り方向上流側へノズル列４２の長さ分移動する。そして、記録ヘッド４１が幅方向Ｘへ移動し、インクが吐出され記録が実行される。これを、記録ヘッド４１が記録時用紙支持部４３の送り方向上流側と対向する位置まで移動し、該状態で記録ヘッド４１が幅方向Ｘへ移動し、インクが吐出され記録が実行されるまで、複数回繰り返す。即ち、複数回走査する。
【００４２】
本実施形態では、理解を容易にするため、用紙Ｐを送り方向Ｙにおいて例として３つのエリアに分けて記録が実行されるものとする。送り方向下流側から順に第１記録エリアＢ１、第２記録エリアＢ２、第３記録エリアＢ３とする。そして、それぞれのエリア毎に記録ヘッド４１が幅方向Ｘへ移動しながらインクを吐出して記録を実行するものとする。  
尚、エリアをいくつに分割するかは、記録時用紙支持部４３の送り方向Ｙにおける長さ、記録ヘッド４１のノズル列４２の長さによって定まるものであり、３つに限られるものではない。
【００４３】
また、記録部４０の第１記録エリアＢ１〜第３記録エリアＢ３の分割と対応して、プレヒート部３０の予備加熱時用紙支持部３３における用紙Ｐが加熱される領域も熱的に送り方向Ｙにおいて分割されている。  
ここで、「熱的に」分割とは、物体が物理的に分割されていることではなく、温度がそれぞれ異なることをいう。即ち、温度が送り方向Ｙにおいて、均一ではないことである。  
そして、送り方向下流側から順に第１プレヒートエリアＡ１、第２プレヒートエリアＡ２、第３プレヒートエリアＡ３とする。
【００４４】
また、第１プレヒートエリアＡ１〜第３プレヒートエリアＡ３のそれぞれの温度が異なるように、予備加熱手段３４は、３つの予備加熱部を有する。具体的には、第１プレヒートエリアＡ１を加熱する第１予備加熱部３５、第２プレヒートエリアＡ２を加熱する第２予備加熱部３６、および第３プレヒートエリアＡ３を加熱する第３予備加熱部３７を有している。そして、本実施形態では、第１プレヒートエリアＡ１の温度は、第２プレヒートエリアＡ２および第３プレヒートエリアＡ３の温度より高温に構成されている。また、第２プレヒートエリアＡ２の温度は、第３プレヒートエリアＡ３の温度より高温に構成されている。即ち、第３プレヒートエリアＡ３から送り方向下流側の第１プレヒートエリアＡ１へ向かうことに従って、段々と高温となるように構成されている。
【００４５】
ここで、温度の順位の決め方について説明する。  
本実施形態において、プレヒート部３０におけるプレヒートエリア（Ａ１〜Ａ３）の温度の順位は、記録部４０における記録エリア（Ｂ１〜Ｂ３）の記録順と対応するように構成されている。  
具体的には、プレヒート部３０において最も高温とするプレヒートエリアは、記録部４０において最初に記録される記録エリアに対応するエリアである。本実施形態では、第１記録エリアＢ１が最初に記録されるので、第１プレヒートエリアＡ１がプレヒートエリア内において最も高温となるように構成されている。
【００４６】
そして、プレヒート部３０において二番目に高温とするプレヒートエリアは、記録部４０において二番目に記録される記録エリアに対応するエリアである。本実施形態では、第２記録エリアＢ２が二番目に記録されるので、第２プレヒートエリアＡ２がプレヒートエリア内において二番目に高温となるように構成されている。  
また、プレヒート部３０において最も低温とするプレヒートエリアは、記録部４０において最後に記録される記録エリアに対応するエリアである。本実施形態では、第３記録エリアＢ３が最後に記録されるので、第３プレヒートエリアＡ３がプレヒートエリア内において最も低温となるように構成されている。
【００４７】
続いて、第１プレヒートエリアＡ１〜第３プレヒートエリアＡ３の温度についてより詳細に説明する。  
図４に示すのは、本発明に係るプレヒート部の温度および記録部における用紙が受ける熱量を示す図である。縦軸は用紙については用紙が受ける熱量を、支持部については支持部の温度を表す。一方、横軸は用紙が位置するエリアを表す。  
図４に示す如く、用紙Ｐが送り方向上流側からプレヒート部３０まで送られると一時停止する。そして、用紙Ｐがプレヒート部３０から記録部４０へ送られるまでの間、予備加熱工程として、用紙Ｐは、第１プレヒートエリアＡ１〜第３プレヒートエリアＡ３で予備加熱される。
【００４８】
ここで、第１プレヒートエリアＡ１の温度をＴｐ１、第２プレヒートエリアＡ２の温度をＴｐ２、第３プレヒートエリアＡ３の温度をＴｐ３とする。また、用紙Ｐが予備加熱時支持部上で一時停止した際に受ける熱量は、第１プレヒートエリアＡ１ではＱｐ１、第２プレヒートエリアＡ２ではＱｐ２、第３プレヒートエリアＡ３ではＱｐ３とする。これらの関係は、Ｔｐ３＜Ｔｐ２＜Ｔｐ１、Ｑｐ３＜Ｑｐ２＜Ｑｐ１である。
【００４９】
そして、第１プレヒートエリアＡ１の温度は他のエリアと比較して最も高い温度Ｔｐ１であるため、用紙Ｐにおける第１プレヒートエリアＡ１に位置する箇所の温度は、他の箇所と比較して最も高い温度Ｔｐ１と略同じ温度とすることができる。  
このとき、第１予備加熱部３５は、用紙Ｐにおける第１プレヒートエリアＡ１に位置する箇所に対して熱量Ｑｐ１を与えるように構成されている。
【００５０】
また、第２プレヒートエリアＡ２が二番目に高い温度Ｔｐ２であるため、用紙Ｐにおける第２プレヒートエリアＡ２に位置する箇所は、二番目に高い温度Ｔｐ２と略同じ温度とすることができる。  
このとき、第２予備加熱部３６は、用紙Ｐにおける第２プレヒートエリアＡ２に位置する箇所に対して熱量Ｑｐ２を与えるように構成されている。
【００５１】
またさらに、第３プレヒートエリアＡ３が最も低い温度Ｔｐ３であるため、用紙Ｐにおける第３プレヒートエリアＡ３に位置する箇所の温度は、他の箇所と比較して最も低い温度Ｔｐ３と略同じ温度とすることができる。  
このとき、第３予備加熱部３７は、用紙Ｐにおける第３プレヒートエリアＡ３に位置する箇所に対して熱量Ｑｐ３を与えるように構成されている。
【００５２】
予備加熱がされた後、媒体送り工程として、用紙Ｐは、記録部４０へ送られる。その後、用紙Ｐは、記録時用紙支持部４３上において一時停止する。そして、記録実行工程として、前述したように第１記録エリアＢ１、第２記録エリアＢ２、第３記録エリアＢ３の順に記録が実行される。  
ここで、一時停止してから第１記録エリアＢ１が記録実行されるまでの時間をｔ１、第２記録エリアＢ２が記録実行されるまでの時間をｔ２、第３記録エリアＢ３が記録実行されるまでの時間をｔ３とする。これらの関係は、ｔ１＜ｔ２＜ｔ３である。
【００５３】
上記順に記録が実行されるので、一時停止してから第２記録エリアＢ２が記録実行されるまでの時間ｔ２の長さは、一時停止してから第１記録エリアＢ１が記録実行されるまでの時間ｔ１の長さより長い。所謂、タイムラグがある。同様に、一時停止してから第３記録エリアＢ３が記録実行されるまでの時間ｔ３の長さは、一時停止してから第２記録エリアＢ２が記録実行されるまでの時間ｔ２の長さよりもさらに長い。
【００５４】
また、記録時加熱工程として、第１記録エリアＢ１〜第３記録エリアＢ３は、記録時加熱手段４４によって均一に加熱され、温度Ｔｒとなるように構成されている。従って、タイムラグにおいて、用紙Ｐは、記録時加熱手段４４によって加熱され続ける。即ち、用紙Ｐは熱量を受けて、用紙Ｐ自体の温度が上昇する。そして、用紙Ｐは、用紙中の水分減少により収縮し続ける。
【００５５】
ここで、一時停止してから第１記録エリアＢ１が記録実行されるまでの時間ｔ１の間に、記録時加熱手段４４は、用紙Ｐにおける第１記録エリアＢ１に位置する箇所に対して熱量Ｑｒ１を与えるように構成されている。また、第２記録エリアＢ２が記録実行されるまでの時間ｔ２の間に、記録時加熱手段４４は、用紙Ｐにおける第２記録エリアＢ２に位置する箇所に対して熱量Ｑｒ２を与えるように構成されている。またさらに、第３記録エリアＢ３が記録実行されるまでの時間ｔ３の間に、記録時加熱手段４４は、用紙Ｐにおける第３記録エリアＢ３に位置する箇所に対して熱量Ｑｒ３を与えるように構成されている。
【００５６】
そして、第１記録エリアＢ１が記録されるときの用紙Ｐにおける第１記録エリアＢ１に位置する箇所の温度、第２記録エリアＢ２が記録されるときの用紙Ｐにおける第２記録エリアＢ２に位置する箇所の温度、および第３記録エリアＢ３が記録されるときの用紙Ｐにおける第３記録エリアＢ３に位置する箇所の温度を同じ温度Ｔｒにすることができるように構成されている。
【００５７】
具体的には、予備加熱から記録されるまでの間に用紙Ｐにおける第１記録エリアＢ１（予備加熱のときにおいては第１プレヒートエリアＡ１）に位置する箇所が受ける熱量の総和Ｑｐ１＋Ｑｒ１、予備加熱から記録されるまでの間に用紙Ｐにおける第２記録エリアＢ２（予備加熱のときにおいては第２プレヒートエリアＡ２）に位置する箇所が受ける熱量の総和Ｑｐ２＋Ｑｒ２、および予備加熱から記録されるまでの間に用紙Ｐにおける第３記録エリアＢ３（予備加熱のときにおいては第３プレヒートエリアＡ３）に位置する箇所が受ける熱量の総和Ｑｐ３＋Ｑｒ３が等しくなるように構成されている。
【００５８】
上記内容を噛み砕いて説明すると、以下のようになる。  
第２プレヒートエリアＡ２で用紙Ｐに与える熱量Ｑｐ２は、前記時間ｔ１とｔ２とのタイムラグにおいて用紙Ｐにおける第２記録エリアＢ２に位置する箇所が受ける熱量分Ｑｒ２と第１記録エリアＢ１に位置する箇所が受ける熱量分Ｑｒ１との差（Ｑｒ２−Ｑｒ１）を、用紙Ｐにおける第１プレヒートエリアＡ１に位置する箇所が受ける熱量Ｑｐ１から減算した熱量となるように構成されている。そして、該関係となるように第２プレヒートエリアＡ２の温度Ｔｐ２が設定されている。
【００５９】
同様に、第３プレヒートエリアＡ３で用紙Ｐに与える熱量Ｑｐ３は、前記時間ｔ１とｔ３とのタイムラグにおいて用紙Ｐにおける第３記録エリアＢ３に位置する箇所が受ける熱量分と第１記録エリアＢ１に位置する箇所が受ける熱量分Ｑｒ１との差（Ｑｒ３−Ｑｒ１）を、用紙Ｐにおける第１プレヒートエリアＡ１に位置する箇所が受ける熱量Ｑｐ１から減算した熱量となるように構成されている。そして、該関係となるように第３プレヒートエリアＡ３の温度Ｔｐ１が設定されている。
【００６０】
その結果、それぞれの記録エリア（Ｂ１〜Ｂ３）を記録実行するときのそれぞれの記録エリア（Ｂ１〜Ｂ３）における用紙Ｐの収縮量を同じにすることができる。即ち、記録実行する際にタイムラグがあっても、同じ状態の用紙Ｐの箇所に対して記録を実行することができる。そして、記録状態を用紙全体において均一にすることができる。  
例えば、幅方向Ｘにおけるドット間隔を、用紙Ｐの送り方向上流側および下流側において同じにすることができる。
【００６１】
そして、記録後において、仮に用紙Ｐが空気中の水分を自然に吸収して安定した収束状態となった場合、用紙Ｐの送り方向上流側および下流側は、同じように伸びる。このとき、幅方向Ｘにおけるドット間隔は同じように広がる。その結果、空気中の水分を吸収して安定収束状態になったとき、記録画像が歪んだ状態となる虞がない。  
また、記録エリア（Ｂ１〜Ｂ３）の温度を均一に設けたことにより、用紙Ｐに着弾したインクをムラなく乾燥させることができる。即ち、低温のエリアがないので、インクの乾燥が不十分となる虞がない。
【００６２】
尚、送られた用紙Ｐを記録時用紙支持部４３上において一時停止すると同時に第１記録エリアＢ１を記録実行するように構成してもよい。即ち、前記時間ｔ１＝０とする。係る場合、上記Ｑｒ１＝０となる。また、Ｔｒ＝Ｔｐ１となる。  
また、上記実施例では、プレヒート部３０において段々に送り方向Ｙにおける温度が異なるようにしたが、幅方向Ｘに熱勾配を設けてもよい。具体的には、記録ヘッド４１が幅方向Ｘの一方（１桁側）から他方（８０桁側）へ移動するときのみインクを吐出する所謂、ワンウェイパスであることを前提として、プレヒート部３０の各プレヒートエリアの８０桁側から１桁側へ向かって徐々に高温となるように構成してもよい。係る場合、用紙Ｐにおける１桁側の収縮量と８０桁側の収縮量との差を無にすることができる。特に、幅が広い用紙Ｐに対して記録実行可能なプリンタ１において有効である。
【００６３】
またさらに、上記実施例として、プレヒート部３０のプレヒートエリアを熱的に分割したが、これに変えてまたは加えて、記録部４０の記録エリアを熱的に分割してもよいのは勿論である。係る場合、予備加熱手段３４により送り方向Ｙにおいて均一に用紙Ｐを加熱し、記録時加熱手段４４により、記録エリア（Ｂ１〜Ｂ３）毎に送り方向Ｙにおいて温度差を設けて用紙Ｐを加熱するように構成する。係る場合も同様の作用効果を得ることができる。
【００６４】
本実施形態の記録装置としてのプリンタ１は、被記録媒体の一例である用紙Ｐを送り方向下流側へ間欠送りをする媒体送り手段としての第１サクションベルト機構３２と、送り方向Ｙおよび用紙Ｐの幅方向Ｘへ移動することができ、停止した用紙Ｐにおける送り方向Ｙに複数に分割したエリアとしての第１記録エリアＢ１〜第３記録エリアＢ３毎に幅方向Ｘへ移動しながらインクを吐出して記録を実行する記録ヘッド４１と、記録ヘッド４１より送り方向上流側に設けられ、用紙Ｐが記録される前段階で用紙Ｐを支持する第１媒体支持部としての予備加熱時用紙支持部３３と、予備加熱時用紙支持部３３に支持された用紙Ｐを加熱する予備加熱手段３４と、予備加熱時用紙支持部３３より送り方向下流側であって、記録ヘッド４１と対向する位置に設けられ、用紙Ｐを支持する第２媒体支持部としての記録時用紙支持部４３と、記録時用紙支持部４３に支持された用紙Ｐを加熱する記録時加熱手段４４と、を備えている。
【００６５】
さらに、予備加熱手段３４および記録時加熱手段４４の少なくとも一方（上記実施例では、予備加熱手段３４）は、記録時用紙支持部４３上で停止した用紙Ｐにおける一の前記エリア（例えば、第１記録エリアＢ１とする）が予備加熱手段３４から受けた第１熱量（Ｑｐ１）と、用紙Ｐが記録時用紙支持部４３上に停止してから該一のエリア（第１記録エリアＢ１）が記録されるまでに該一のエリア（第１記録エリアＢ１）が記録時加熱手段４４から受ける第２熱量（Ｑｒ１）との和（Ｑｐ１＋Ｑｒ１）が、記録時用紙支持部４３上で停止した用紙Ｐにおける前記一以外の他のエリア（例えば、第２記録エリアＢ２（または第３記録エリアＢ３））が予備加熱手段３４から受けた第３熱量（Ｑｐ２（Ｑｐ３））と、用紙Ｐが記録時用紙支持部４３上に停止してから該他のエリア（第２記録エリアＢ２（または第３記録エリアＢ３））が記録されるまでに該他のエリア（第２記録エリアＢ２（または第３記録エリアＢ３））が記録時加熱手段４４から受ける第４熱量（Ｑｒ２（Ｑｒ３））との和（Ｑｐ２＋Ｑｒ２（Ｑｐ３＋Ｑｒ３））と等しくなるように、第１記録エリアＢ１〜第３記録エリアＢ３に応じて送り方向Ｙに加熱する領域を第１プレヒートエリアＡ１〜第３プレヒートエリアＡ３に分割し該分割した領域である第１プレヒートエリアＡ１〜第３プレヒートエリアＡ３毎に異なる温度で加熱する構成であることを特徴とする。
【００６６】
また、本実施形態において、記録ヘッド４１は、用紙Ｐにおける第１記録エリアＢ１〜第３記録エリアＢ３を、送り方向下流側から順に記録実行する構成であり、記録時加熱手段４４は、送り方向Ｙにおいて均一な温度で加熱する構成であり、予備加熱手段３４は、第１記録エリアＢ１〜第３記録エリアＢ３に応じて送り方向Ｙに加熱する領域を第１プレヒートエリアＡ１〜第３プレヒートエリアＡ３に分割し、送り方向下流側へ向かって段々と高い温度となるように加熱する構成であることを特徴とする。  
またさらに、本実施形態において、記録ヘッド４１は、幅方向Ｘの一方へ走査する際のみに記録を実行する構成であり、予備加熱手段は、幅方向Ｘにおいて、熱勾配を有しており、記録ヘッド４１が幅方向Ｘにおける記録を実行開始する側を、記録を終了する側より高い温度で加熱する構成であることを特徴とする。
【００６７】
本実施形態の記録方法は、記録する前段階において予備加熱時用紙支持部３３に支持された用紙Ｐを予備加熱手段３４により加熱する予備加熱工程と、予備加熱時用紙支持部３３に支持された用紙Ｐを、予備加熱時用紙支持部３３より被送り媒体の送り方向下流側に設けられ用紙Ｐを支持する記録時用紙支持部４３上へ送る媒体送り工程と、記録時用紙支持部４３と対向し用紙Ｐの送り方向Ｙおよび幅方向Ｘへ移動するように設けられた記録ヘッド４１が、停止した用紙Ｐにおける送り方向Ｙに複数に分割したエリアである第１記録エリアＢ１〜第３記録エリアＢ３を送り方向下流側から順に幅方向Ｘへ移動しながらインクを吐出して記録を実行する記録実行工程と、記録時用紙支持部４３に支持された用紙Ｐを記録時加熱手段４４により加熱する記録時加熱工程と、を具備し、予備加熱工程は、第１記録エリアＢ１〜第３記録エリアＢ３に応じて送り方向Ｙに加熱する領域を第１プレヒートエリアＡ１〜第３プレヒートエリアＡ３に分割し、送り方向下流側へ向かって段々と高い温度となるように加熱することを特徴とする。
【００６８】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６９】
【図１】本発明に係るプリンタの全体の概略を示す側面図。
【図２】本発明に係るプレヒート部および記録部の概略を示す側面図。
【図３】本発明に係るプレヒート部および記録部の概略を示す平面図。
【図４】本発明に係るプレヒート部および記録部における用紙が受ける熱量を示す図。
【図５】従来技術における予備加熱部および記録部における用紙が受ける熱量を示す図。
【符号の説明】
【００７０】
１  プリンタ（記録装置）、１０  給送部、２０  紙揃え部、３０  プレヒート部、
３２  第１サクションベルト機構、３３  予備加熱時用紙支持部、３４  予備加熱手段、
３５  第１予備加熱部、３６  第２予備加熱部、３７  第３予備加熱部、３８  ローラ、
３９  ベルト、４０  記録部、４１  記録ヘッド、４２  ノズル列、
４３  記録時用紙支持部、４４  記録時加熱手段、４５  第１ガイド軸、
４６  軸ホルダ、４７  第２ガイド軸、５０  ポストヒート部、５３  温風ヘッド、
５４  第２サクションベルト機構、５５  乾燥時用紙支持部、６０  排出部、
Ａ１  第１プレヒートエリア、Ａ２  第２プレヒートエリア、
Ａ３  第３プレヒートエリア、Ｂ１  第１記録エリア、Ｂ２  第２記録エリア、
Ｂ３  第３記録エリア、Ｐ  用紙、Ｘ  幅方向、Ｙ  送り方向
【図１】
2010131891.tif 000003
【図２】
2010131891.tif 000004
【図３】
2010131891.tif 000005
【図４】
2010131891.tif 000006
【図５】
2010131891.tif 000007